(57)【特許請求の範囲】
【請求項１】
（イ）外周面に掛止部が設けられた口筒部を有する容器本体と、（ロ）有底の下筒部を前記容器本体の口筒部内に挿入し、下筒部の上部外周面を口筒部の上部内周面に密嵌し、下筒部の上縁からは口筒部の先端に載置されるフランジ部が外方へ環状に張り出し、このフランジ部からは上部を開口させた環状の上筒部が起立し、先部に溢流孔を有する溢流管部を下筒部の底部から起立させた計量カップと、（ハ）下部を開口させた取付筒部を前記容器本体の口筒部に外嵌し、取付筒部の内周面には、前記容器本体の掛止部下側に位置に掛止する掛止部が設けられると共に、前記計量カップのフランジ部の下側に係合して計量カップの脱落を防止する係合突起が設けられ、取付筒部の上部には肩部を介して天筒部が連なり、天筒部の天板部には注出口が開口したキャップ本体と、（ニ）前記キャップ本体にヒンジ部を介して回動可能に連結され、キャップ本体の注出口を閉塞する第１閉塞部と計量カップの溢流孔を閉塞する第２閉塞部が設けられたカバーキャップと、を具備し、
前記キャップ本体に、取付筒部の内側で肩部から下延し外側において計量カップの上筒部の先端を密嵌させるシール筒部を設け、
該キャップ本体の掛止部を前記容器本体の掛止部に掛止した状態で、計量カップの上筒部の先端がキャップ本体の肩部に突き当たり、フランジ部が口筒部の先端に突き当たるようにされていることを特徴とする計量キャップ付き容器。
【請求項２】
前記計量カップのフランジ部の下面には、容器本体の口筒部の先端に圧接する環状のシール突起が設けられていることを特徴とする請求項１に記載の計量キャップ付き容器。
【請求項３】
前記容器本体とキャップ本体との間には周方向に方向性があり、両者の方向性が一致した場合だけキャップ本体を容器本体に装着できることを特徴とする請求項１または２記載の計量キャップ付き容器。
【請求項４】
前記容器本体は口筒部の下側に平面視非円形の肩部を備え、前記キャップ本体は取付筒部の外側に下部を開口させた平面視非円形のスカート部を備え、キャップ本体のスカート部の内側に容器本体の肩部が挿入されることにより方向性が決定されることを特徴とする請求項３に記載の計量キャップ付き容器。
【請求項５】
前記キャップ本体の注出口と前記計量カップの溢流管部が同心上に配置されており、且つこれらの中心軸がキャップ本体の天筒部の中心軸よりもヒンジ部から離間する側に偏心して位置していることを特徴とする請求項１から４のいずれかに記載の計量キャップ付き容器。
【請求項６】
前記計量カップの上筒部の外周面と前記キャップ本体の取付筒部の内周面には、互いに係合する位置決め用係合部が設けられていることを特徴とする請求項５に記載の計量カップ付き容器。
【請求項７】
前記計量カップの下筒部の外周面に位置決め用係合部が設けられていることを特徴とする請求項１に記載の計量キャップ付き容器。
【発明の詳細な説明】
【０００１】
【産業上の利用分野】
本発明は、容器本体の口筒部に計量キャップを備えた容器に関するものである。
【０００２】
【従来の技術】
実開平６−１４０５４号公報には従来の計量キャップ付き容器が開示されている。この容器においては、計量カップの下部を構成する中栓を容器本体の口筒部に挿入し、中栓の上縁に設けたフランジ部を口筒部の先端に載置し、計量カップの上部を構成するキャップ本体を口筒部に螺合することによりキャップ本体の肩部と口筒部の先端とで中栓のフランジ部を挟圧し固定している。
【０００３】
中栓の底部からは先端に溢流孔を有する溢流管部が起立し、溢流管部の上方に位置するキャップ本体の天板部には注出口が設けられ、キャップ本体にはヒンジ部を介してカバーキャップが回動可能に連結されており、このカバーキャップをキャップ本体の上に被せると、カバーキャップの第１閉塞部がキャップ本体の注出口を閉塞し、カバーキャップの第２閉塞部が溢流管部の溢流孔を閉塞するようになっている。
【０００４】
この容器から内溶液を注出する場合には、カバーキャップを開いて、容器本体の胴部を挟圧することにより容器本体内の内容液を溢流孔から計量カップに溢流させる。
【０００５】
内溶液の計量方法には二通りある。一つは、キャップ本体あるいは中栓の内壁面に表示された計量線に計量カップ内の内溶液の液面が一致したところで内溶液の溢流を止める方法である。他の一つは、最初に計量カップ内の内溶液の液面を溢流孔より上位に位置させ、その後で容器本体の挟圧を止めて溢流孔より上位にある内溶液を溢流孔から容器本体内に戻すことにより、計量カップに一定量の内溶液を残す方法である。
【０００６】
【発明が解決しようとする課題】
前記計量キャップ付き容器においては、キャップ本体と中皿との間のシールをキャップ本体の肩部と中皿のフランジ部との圧接によって行っており、この圧接力はキャップ本体を容器の口筒部に螺合した時の締め付け強さによって決定される。
【０００７】
そのため、キャップ本体の締め付け力が弱いとこのシール部分から内溶液が漏れる虞がある。あるいは、最初の内はキャップ本体がしっかりと締め付けられていても、使用している間に徐々に緩んできてシール性が悪くなることもある。
【０００８】
又、容器の構造上、キャップ本体を口筒部に固定する手段として螺合手段を採用できない場合がある。その場合は螺合手段に替えて、口筒部の上からキャップ本体を押し込んで両者を嵌合する手段が採用される。
【０００９】
しかしながら、このように嵌合手段を採用した場合には、キャップ本体の肩部と中皿のフランジ部とを直接に圧接させると所望の圧接力が得られにくくシール性が悪くなる。そこで、良好なシール性を得るために肩部とフランジ部の間にパッキンを介在させる必要が生じるが、そうすると部品点数が増えたり、組み立て工程においてパッキンの取り付け工程が増えるなど、不利であった。
【００１０】
本発明はこのような従来の技術の問題点に鑑みてなされたものであり、容器本体の口筒部との固定に嵌合手段を採用した、シール性にも優れた計量キャップ付き容器を提供することを目的とする。
【００１１】
【課題を解決するための手段】
本発明は前記課題を解決するために、以下の手段を採用した。
〈本発明の要旨〉
本発明の計量キャップ付き容器は、（イ）容器本体と、（ロ）計量カップと、（ハ）キャップ本体と、（ニ）カバーキャップとを具備する。以下に各構成要素のポイントを述べる。
【００１２】
（イ）容器本体
容器本体は口筒部を有し、口筒部の外周面には掛止部が設けられている。この掛止部にキャップ本体の掛止部が掛止して、キャップ本体が容器本体に嵌合固定される。
【００１３】
（ロ）計量カップ
計量カップは、有底の下筒部と、この下筒部の上縁から外方へ張り出す環状のフランジ部と、フランジ部から起立し上部を開口させた環状の上筒部と、下筒部の底部から起立し先部に溢流孔を有する溢流管部、とを備える。
【００１４】
下筒部は前記容器本体の口筒部内に挿入され、下筒部の上部外周面は口筒部の上部内周面に密嵌する。フランジ部は口筒部の先端に載置される。キャップ本体の掛止部を前記容器本体の掛止部に掛止した状態では、上筒部の先端がキャップ本体の肩部に突き当たり、フランジ部が口筒部の先端に突き当たる
【００１５】
（ハ）キャップ本体
キャップ本体は、下部を開口させた取付筒部と、取付筒部の上端に連なる肩部と、肩部に連なる天筒部と、肩部から下方に延びるシール筒部、とを備える。
【００１６】
取付筒部は前記容器本体の口筒部に外嵌し、取付筒部の内周面には、容器本体の掛止部下側に掛止する掛止部が設けられると共に、前記計量カップのフランジ部の下側に係合して計量カップの脱落防止をする係合突起が設けられている。天筒部の天板部には注出口が開口している。シール筒部は取付筒部の内側に配されており、このシール筒部の外側に計量カップの上筒部の先部が密嵌する。
【００１７】
（ニ）カバーキャップ
カバーキャップは前記キャップ本体にヒンジ部を介して回動可能に連結されている。カバーキャップには、キャップ本体の注出口を閉塞する第１閉塞部と、計量カップの溢流孔を閉塞する第２閉塞部が設けられている。
（以上、請求項１に対応）。
【００１８】
本発明は、前記構成を前提として以下の構成を付加した上でも成立する。
前記計量カップのフランジ部の下面に、容器本体の口筒部の先端に圧接する環状のシール突起を設ける（請求項２に対応）。このようにすると、シール突起によっても計量カップと口筒部の間がシールされるので、シール性が更によくなる。
【００１９】
前記容器本体とキャップ本体との間に周方向の方向性を持たせ、両者の方向性が一致した場合だけキャップ本体を容器本体に装着できるようにすることも可能である（請求項３に対応）。
【００２０】
前記容器本体とキャップ本体との間の周方向の方向性は次のように構成することができる。前記容器本体には口筒部の下側に平面視非円形の肩部を設け、前記キャップ本体には取付筒部の外側に下部を開口させた平面視非円形のスカート部を設け、キャップ本体のスカート部の内側に容器本体の肩部を挿入することによりキャップ本体と容器本体とが相対回動不能になり、方向性が決定されるようにする（請求項４に対応）。ここで平面視非円形とは例えば楕円形や四角形などである。
【００２１】
前記キャップ本体の注出口と前記計量カップの溢流管部とを同心上に配置し、且つこれらの中心軸をキャップ本体の天筒部の中心軸よりもヒンジ部から離間する側に偏心して位置させてもよい（請求項５に対応）。このようにすると、注出口から内溶液を注出する時にカバーキャップが邪魔にならず、使い易い。
【００２２】
前記計量カップの上筒部の外周面と前記キャップ本体の取付筒部の内周面に、互いに係合する位置決め用係合部を設けることも可能である（請求項６に対応）。このようにすると、注出口及び溢流管部の中心軸が天筒部の中心軸から偏心している場合にも、計量カップとキャップ本体の位置決めが容易にでき、組み立て作業性が非常によくなる。
【００２３】
又、計量カップの下筒部の外周面に位置決め用係合部を設けることも可能である（請求項７に対応）。このようにすると、計量キャップ付き容器の組み立て時に、計量キャップを治具にセットする際の位置決めが容易にでき、組み立て作業性が非常によくなる。尚、位置決め用係合部は溝で構成してもよいし、突起で構成してもよい。
【００２４】
【作用】
〈本発明の作用〉
計量カップの下筒部の上部外周面を口筒部の上部内周面に密嵌することにより計量カップと容器本体との間がシールされ、計量カップの上筒部の先部をキャップ本体のシール筒部の内側に密嵌することにより計量カップとキャップ本体との間がシールされる。これらシール構造は容器本体とキャップ本体とが軸線方向（上下方向）に若干ずれていてもシール性に影響を及ぼすことがない。したがって、容器本体の口筒部とキャップ本体の取付筒部とを嵌合手段によって連結しても、十分なシール性能を確保することができる。
【００２５】
【実施例】
以下、本発明の一実施例を図１から図９の図面に基いて説明する。
図１は本発明の計量キャップ付き容器（以下、容器と略称する）の正面から見た組み立て断面図である。容器１は、容器本体１０と、計量カップ２０と、キャップ本体４０と、カバーキャップ６０とを具備している。図１において一点鎖線は左側面から見た時の容器本体１０及びキャップ本体４０の左半分の外形線である。
【００２６】
容器本体１０は有底で横断面略楕円形の胴部１１を有し、この胴部１１の上端に肩部１２が連なり、肩部１２の中央から円筒状の口筒部１３が起立している。口筒部１３の外周面の下部には周方向円弧状に延びる掛止突条（掛止部）１４が設けられている。
【００２７】
容器本体１０の口筒部１３の内側には計量カップ２０が装着されている。図５は計量カップ２０を正面から見た縦断面図、図６は同平面図、図７は同底面図、図８は同右側面図、図９は図５のＡ−Ａ矢視断面図である。
【００２８】
計量カップ２０は円筒状をなし、口筒部１３内に挿入される下筒部２１と、下筒部２１の上縁から外方に張り出す環状のフランジ部２２と、フランジ部２２の上面から上方に起立する上筒部２３と、下筒部２１の底板部２４から上方に起立する溢流管部２５、とを備えている。
【００２９】
下筒部２１の下部外周面には軸線方向に延びる縦溝（位置決め用係合部）２６が形成されている。この縦溝２６は、容器１を組み立てる時に計量カップ２０をチャック装置等の治具にセットする際の位置決めを容易にする。
【００３０】
下筒部２１の上部であってフランジ部２２に連なる部分は若干大径の大径部２７になっていて、容器本体１０の口筒部１３の上部内周面に密嵌できるようになっている。
【００３１】
フランジ部２２の下面には下方に突出する環状のシール突起２８が設けられており、容器本体１０の口筒部１３の先端面に突き当たるように配されている。フランジ部２２の外周面２２ａは上方に進むにしたがって内側に傾斜するテーパ面に形成されている。
【００３２】
上筒部２３は上部に環状に段差部２９が形成されており、この段差部２９よりも下側の部分には軸線方向（上下方向）に延びる３つの縦溝（位置決め用係合部）３０が形成されている。
【００３３】
図６及び図８に示すように、３つの縦溝３０のうち２つの縦溝３０は下筒部２１の縦溝２６と同じ側に配されており、縦溝２６から周方向に同角度だけずらして配置されている。残る１つの縦溝３０は縦溝２６から周方向に１８０度ずらして配されている。
【００３４】
溢流管部２５の中心軸は下筒部２１の中心軸から偏心しており、縦溝２６から遠ざかる方向にずれて位置している。溢流管部２５の先端は上筒部２３の先端よりも上方に突出しており、溢流管部２５の先部外周面には２つの溢流孔３１が開口している。又、溢流管部２５の内周面の下部には環状の突条３２と、環状の段差部３３が設けられている。溢流管部２５の内側下部にはパイプ３４が挿入固定されており、段差部３３にパイプ３４の先端が突き当たってそれ以上差し込むことができないようになっており、突条３２がパイプ３４の外周面に密着してパイプ３４の抜け止めをしている。尚、パイプ３４の下端は容器本体１０の図示しない底部近傍に配されている。
【００３５】
容器本体１０の口筒部１３及び計量カップ２０の上筒部２３はキャップ本体４０によって覆われており、キャップ本体４０はカバーキャップ６０によって閉蓋可能になっている。キャップ本体４０とカバーキャップ６０は樹脂により一体成形されている。
【００３６】
図２はキャップ本体４０とカバーキャップ６０の縦断面図、図３は同平面図、図４は同底面図である。
キャップ本体４０は、口筒部１３に外嵌する取付筒部４１と、取付筒部４１の上端に連なる肩部４２と、肩部４２から上方に起立する天筒部４３と、肩部４２の外縁から下方に延びるスカート部４４と、肩部４２の内縁から下方に延びるシール筒部４５、とを備えている。
【００３７】
取付筒部４１は円筒状をなし、その内周面の下部には周方向円弧状に延びる掛止突条（掛止部）４６が設けられ、内周面の中間部には環状の係合突条（係合突起）４７が設けられている。
【００３８】
掛止突条４６は口筒部１３の掛止突条１４の下側に掛止してキャップ本体４０を口筒部１３に嵌着させる。
【００３９】
スカート部４４は横断面形状が略楕円形の筒状をなし、下部を開口させている。スカート部４４の下部開口４８は容器本体１０の肩部１２と相似形に形成されており、この下部開口４８に肩部１２が挿入して容器本体１０とキャップ本体４０とを回動不能にするようになっている。
【００４０】
換言すると、容器本体１０とキャップ本体４０は互いに組み立て方向性を有しており、一定の方向以外では両者を組み立てることができないようになっている。
【００４１】
スカート部４４の上縁に連なる肩部４２も略楕円形状をなしており、肩部４２の中央から有頂円筒状の天筒部４３が起立している。天筒部４３の天板部４９には肩部４２の短軸方向に偏心した位置に注出口５０が開口しており、その周囲には水切り鍔部５１が環状に設けられている。
【００４２】
シール筒部４５は円筒状をなし、天筒部４３の内面延長上に設けられており、取付筒部４１との間に環状の溝５２を形成せしめている。このシール筒部４５の外側に計量カップ２０の上筒部２３の先部が密嵌するようになっている。
【００４３】
取付筒部４１の内周面の上部には軸線方向（上下方向）に延びる３つの係合突条（位置決め用係合部）５３が設けられている。
図４に示すように、３つの係合突条５３のうち１つの係合突条５３は注出口５０と同じ側に配されており、残る２つの係合突条５３は注出口５０から離れた側に注出口５０から周方向に同角度だけずらして配置されている。
【００４４】
これら係合突条５３は、注出口５０と溢流管部２５とが同心上に位置した時に前記計量カップ２０の縦溝３０に係合して、計量カップ２０とキャップ本体４０との周方向の位置決めをする。。
【００４５】
尚、取付筒部４１の係合突条４７は計量カップ２０をキャップ本体４０に装着させた時に計量カップ２０のフランジ部２２の下側に係合して計量カップ２０の脱落を防止する。
【００４６】
又、この容器１においては、計量カップ２０を口筒部１３に装着し、その上からキャップ本体４０を嵌合して、キャップ本体４０の掛止突条４６を口筒部１３の掛止突条１４の下側に掛止すると、計量カップ２０の上筒部２３の先端がキャップ本体４０の肩部４２の裏面に突き当たり、計量カップ２０のフランジ部２２のシール突起２８が口筒部１３の先端面に圧接するようになっている。したがって、容器本体１０と計量カップ２０は、計量カップ２０の大径部２７の外周面と口筒部１３の内周面との密嵌と、シール突起２８と口筒部１３の先端面との圧接の２ヶ所でシールされることとなる。
【００４７】
カバーキャップ６０は、キャップ本体４０の肩部４２において注出口５０とは周方向に１８０度ずらした部位に、薄肉ヒンジ（ヒンジ部）６１を介して回動可能に連結されており、薄肉ヒンジ６１の間に形成された板ばね部６２によってカバーキャップ６０は所定開度以上になると開方向に付勢され、所定開度以下になると閉方向に付勢されるようになっている。
【００４８】
カバーキャップ６０の天板部６３からは第１閉塞筒部（第１閉塞部）６４と第２閉塞筒部（第２閉塞部）６５が同心上に突出しており、図１において二点鎖線で示すようにカバーキャップ６０をキャップ本体４０に被せた時に、内側の第１閉塞筒部６４は溢流管部２５の先部外側に密嵌して溢流孔３１を閉塞し、外側の第２閉塞筒部６５は注出口５０の内側に密嵌して注出口５０を閉塞する。
【００４９】
この容器１から内溶液を注出する場合には、カバーキャップ６０を開いて、容器本体１０の胴部１１を挟圧することにより容器本体１０内の内容液を溢流孔３１から計量カップ２０及びキャップ本体４０の天筒部４３内に溢流させる。
【００５０】
そして、計量カップ２０内の内溶液の液面を一旦、溢流孔３１より上位に位置させ、次いで胴部１１の挟圧を止めて溢流孔３１より上位にある内溶液を溢流孔３１から容器本体１０内に戻すことにより、計量カップ２０に一定量の内溶液が残り、計量が完了する。その後、容器１を傾けて注出口５０から計量された内溶液を注ぎ出す。
【００５１】
又、内溶液を補充する時にキャップ本体４０を口筒部１３から取り外すと、計量カップ２０がキャップ本体４０と一体となって容器本体１０から外れる。これは、キャップ本体４０の係合突条４７が計量カップ２０のフランジ部２２に係合して、計量カップ２０がキャップ本体４０から離脱するのを阻止するからである。
【００５２】
上述構成からなる容器１では、計量カップ２０の大径部２７の外周面が容器本体１０の口筒部１３の上部内周面に密嵌して容器本体１０と計量カップ２０との間がシールされ、計量カップ２０の上筒部２３の先部内周面がキャップ本体４０のシール筒部４５の内周面に密嵌して計量カップ２０とキャップ本体４０との間がシールされるので、キャップ本体４０を口筒部１３に固定するのに嵌合手段を採用したことに起因してキャップ本体４０と口筒部１３との間に軸線方向のずれが若干生じていても、上記２ヶ所のシール部は所望のシール性能を保持し、液漏れが生じることはない。
【００５３】
又、計量カップ２０のシール突起２８が口筒部１３の先端面に圧接されるので容器本体１０と計量カップ２０との間が２重にシールされることとなり、気密性が極めてよい。、
この容器１においてキャップ本体４０を装着する場合には、キャップ本体を４０を容器本体１０に対して回転させずに、キャップ本体４０を口筒部１３の上から押し込むだけで容器本体１０に固定することができる。したがって、キャップ本体４０の装着後の状態が、容器本体１０の肩部１２がキャップ本体４０の下部開口４８に挿入されて容器本体１０とキャップ本体４０とが相対回転不能となるようになっていても、これがキャップ本体４０の装着の支障となることはない。
【００５４】
又、注出口５０と溢流管部２５とをカバーキャップ６０の薄肉ヒンジ６１から離間する側に偏心して配したので、注出口５０から内容液を注ぐ時に、カバーキャップ６０が邪魔にならず、注ぎ易い。
【００５５】
更に、計量カップ２０に縦溝３０を設け、キャップ本体４０に係合突条５３を設け、これらを係合することにより計量カップ２０の溢流管部２５の軸中心とキャップ本体４０の注出口５０の軸中心が一致するようになっているので、両部材の位置決めが容易にできる。しかも、縦溝３０及び係合突起５３は周方向に非等間隔に設置されているので、方向性の判断がし易く、組み立て作業が容易にできる。
【００５６】
【発明の効果】
以上説明したように、本発明によれば、計量カップの下筒部の上部外周面を口筒部の上部内周面に密嵌することにより計量カップと容器本体との間をシールし、計量カップの上筒部の先部をキャップ本体のシール筒部の内側に密嵌することにより計量カップとキャップ本体との間をシールするようにしたので、容器本体とキャップ本体とが軸線方向（上下方向）に若干ずれていてもシール性に影響を及ぼすことがなく、したがって、容器本体の口筒部とキャップ本体の取付筒部とを嵌合手段によって連結しても、十分なシール性能を確保することができる、という優れた効果が奏される。
【００５７】
又、計量カップのフランジ部の下面にシール突起を設け、このシール突起を容器本体の口筒部の先端に圧接するようにすると、シール突起によっても計量カップと口筒部の間がシールされるので、２重シール構造となって更にシール性がよくなる。
【００５８】
前記キャップ本体の注出口と前記計量カップの溢流管部の中心軸をヒンジ部から離間する側に偏心して位置させると、注出口から内溶液を注出する時にカバーキャップが邪魔にならず、使い易くなる。
【００５９】
前記計量カップの上筒部の外周面と前記キャップ本体の取付筒部の内周面に、互いに係合する位置決め用係合部を設けておくと、注出口及び溢流管部の中心軸を前記の如く偏心させた場合にも、計量カップとキャップ本体の位置決めが容易にでき、組み立て作業性が非常によく、都合がよい。
【００６０】
計量カップの下筒部の外周面に位置決め用係合部を設けておくと、計量キャップ付き容器の組み立て時に、計量キャップを治具にセットする際の位置決めが容易にでき、組み立て作業性が非常によく、都合がよい。
【図面の簡単な説明】
【図１】本発明の計量キャップ付き容器の組み立て縦断面図である。
【図２】本発明の計量カップ付き容器におけるキャップ本体とカバーキャップの縦断面図である。
【図３】本発明の計量カップ付き容器におけるキャップ本体とカバーキャップの平面図である。
【図４】本発明の計量カップ付き容器におけるキャップ本体とカバーキャップの底面図である。
【図５】本発明の計量カップ付き容器における計量カップの縦断面図である。
【図６】本発明の計量カップ付き容器における計量カップの平面図である。
【図７】本発明の計量カップ付き容器における計量カップの底面図である。
【図８】本発明の計量カップ付き容器における計量カップの右側面図である。
【図９】図５のＡ−Ａ矢視断面図である。
【符号の説明】
１  計量キャップ付き容器
１０  容器本体
１３  口筒部
１４  掛止突条（掛止部）
２０  計量カップ
２１  下筒部
２２  フランジ部
２３  上筒部
２４  底板部（底部）
２５  溢流管部
２６  縦溝（位置決め用係合部）
２７  大径部
２８  シール突起
３０  縦溝（位置決め用係合部）
３１  溢流孔
４０  キャップ本体
４１  取付筒部
４２  肩部
４３  天筒部
４４  スカート部
４５  シール筒部
４６  掛止突条（掛止部）
４７  係合突条（係合突起）
４８  下部開口
４９  天板部
５０  注出口
６０  カバーキャップ
６１  薄肉ヒンジ（ヒンジ部）
６４  第１閉塞筒部（第１閉塞部）
６５  第２閉塞筒部（第２閉塞部）
【図１】
0003542655.tif 000002
【図２】
0003542655.tif 000003
【図３】
0003542655.tif 000004
【図４】
0003542655.tif 000005
【図５】
0003542655.tif 000006
【図６】
0003542655.tif 000007
【図７】
0003542655.tif 000008
【図８】
0003542655.tif 000009
【図９】
0003542655.tif 000010